(57)【要約】【課題】  既存の扉本体の表面を平坦面として広告用シート材等を綺麗に貼張できるようにした扉装置を提供する。【解決手段】  扉本体１０の表面１２にコ型断面の型材３０Ａ〜３０Ｄを四角形に枠組みした枠体２０を取付け、上記枠体の蝶番Ｃ側の型材はその内周座辺３０Ａ´を扉本体の表面に締結手段Ｂ１で固着し蝶番Ｃの部位を蝶番高さまで切断し壁面に切設した溝Ｍの該当高さで折り、上記枠体２０の施錠手段Ｒ側の型材３０Ｂはその内周側にドアロックバー１３の軸受部３０Ｅを形成してここにドアロックバー１３を内挿させその内周座辺３０Ｂ´を扉表面に締結手段Ｂ２で連結させ、上記蝶番側の型材と施錠手段側の型材との上下端には上部型材３０Ｃと下部型材３０Ｄを上記扉本体の表面の上下縁に横方向に配置しその内周座辺３０Ｃ´，３０Ｄ´を扉本体の表面に締結手段Ｂ３，Ｂ４で連結させ、上記接合部内に直角に曲げた補強材Ｆ１〜Ｆ４を介装させて連結させる。【選択図】  図４
2005096689.tif 000002
【特許請求の範囲】
【請求項１】
荷室の開口部に蝶番を介して開閉可能に設けられた１枚乃至複数枚の扉本体と、上記扉本体に縦方向に支持されたドアロックバーと、荷室の下枠に設けられ上記ドアロックバーを荷室側と係脱させて扉本体をロック・アンロック状態に切り換える施錠手段と、上記扉本体の表面の四方に取付けられコ型断面の型材を四角形に枠組みした枠体と、を具備し、上記枠体のうち蝶番側の型材はその内周座辺を扉本体の表面に締結手段で固着させるとともに蝶番の部位を蝶番高さまで切断し壁面に形成した複数種類の溝のうち該当高さの溝で折って蝶番を内挿させ、また、施錠手段側の型材はその内周座辺を扉表面に締結手段で固着させるとともにドアロックバーの部位に軸受部を形成してここにドアロックバーを内挿させ、更に、上記蝶番側の型材と施錠手段側の型材との上下端に上部型材と下部型材とを上記扉本体の表面の上下縁に横方向に配置させその内周座辺を扉本体の表面に締結手段で固着させるとともに蝶番側の型材及び施錠手段側の型材と上記上部型材と下部型材との接合部に直角に曲げた補強材を介装させて連結させたことを特徴とする扉装置。
【発明の詳細な説明】
【技術分野】
【０００１】
本発明は、例えば、トラックの荷物室における後部開口部あるいは側壁開口部等に設けた扉装置に係り、特に、扉の表面を平坦面とし広告用等のシート材等を綺麗に張設できるようにしたものに関する。
【背景技術】
【０００２】
トラック等の荷物室における後部開口部には、一枚から三枚以上の多数枚構成の扉装置が設置されている（通常は二枚の観音扉式）。この扉装置は、扉を回動可能に支持する蝶番や、扉の施錠手段等が扉の外表面に突出物として存在している。このため、バン型車両の後方から見た姿、あるいは側方に扉装置がある場合に側方から見た姿は雑然としていて意匠的に優れず、また、宣伝用シール等の貼付けにも極端に制限を受けていた。
【０００３】
そこで、扉装置の外表面に突起物が存在しない平坦面を有する扉装置が提供されている。その構成は、バン型車両の後部開口部あるいは側壁開口部に蝶番を介して開閉可能に設けられ、一組以上の施錠装置を有する扉において、前記扉は、蝶番と施錠装置を含め略扉本体全体がカバー部材で覆われており、前記施錠装置は扉本体に縦方向に枢支された作動桿と、該作動桿の上下端に作動桿と同心に固着されたカムと、該カムが係脱する上下枠材に取付けられたカムキーパーと、下端がカムの下端に延出した短管と、該短管に上下に回動可能に取付けられたハンドルと、ハンドルに対応して下枠に設けたハンドル保持具とからなるものである（例えば、特許文献１参照。）。
【特許文献１】実開平５−３５４２４号
【発明の開示】
【発明が解決しようとする課題】
【０００４】
上記従来の扉装置によると次のような問題がある。まず、前記扉は、蝶番と施錠装置を含め略扉本体全体をカバー部材で単純に覆ったものであるから、このカバー表面に、直接に広告用のシールを貼ることができても、国際公開ＷＯ００／７９５０７Ａ１のシート張設装置や他の取付手段による広告用シート材の取付には不向きであり、これらの取付には特別の工夫が求められる。そして、上記カバー部材は、蝶番側近が扉表面に接近するように屈折された形状に形成されているから、シールを貼るとき貼面が歪んで正しく貼り難い上に、貼着後のシールがカバー部材の屈折部で折り曲がって見えるため、広告内容の視認性に劣る。このため、広告効果が１００％発揮されないという問題点がある。
【０００５】
本発明は上記問題点に基づいてなされたものでその目的とするところは、既存の扉本体の表面を平坦面として広告用シート材等を綺麗に張設できるようにした扉装置を提供することにある。
【課題を解決するための手段】
【０００６】
上記目的を達成するべく本発明の請求項１による扉装置は、荷室の開口部に蝶番を介して開閉可能に設けられた１枚乃至複数枚の扉本体と、上記扉本体に縦方向に支持されたドアロックバーと、荷室の下枠に設けられ上記ドアロックバーを荷室側と係脱させて扉本体をロック・アンロック状態に切り換える施錠手段と、上記扉本体の表面の四方に取付けられコ型断面の型材を四角形に枠組みした枠体と、を具備し、上記枠体のうち蝶番側の型材はその内周座辺を扉本体の表面に締結手段で固着させるとともに蝶番の部位を蝶番高さまで切断し壁面に形成した複数種類の溝のうち該当高さの溝で折って蝶番を内挿させ、また、施錠手段側の型材はその内周座辺を扉表面に締結手段で固着させるとともにドアロックバーの部位に軸受部を形成してここにドアロックバーを内挿させ、更に、上記蝶番側の型材と施錠手段側の型材との上下端に上部型材と下部型材とを上記扉本体の表面の上下縁に横方向に配置させその内周座辺を扉本体の表面に締結手段で固着させるとともに蝶番側の型材及び施錠手段側の型材と上記上部型材と下部型材との接合部に直角に曲げた補強材を介装させて連結させたことを特徴とするものである。
【０００７】
上記本発明の扉装置によると、まず、扉本体は、この表面の四方に枠体がその内周座辺を締結手段により固着されるから、扉本体の表面への枠体の取付作業が簡便に行える。そして、上記枠体は、扉本体の表面に付設された蝶番や施錠手段を高い位置で包囲しているから、この枠体への国際公開ＷＯ００／７９５０７Ａ１のシート張設装置や他の取付手段による広告用シート材等の取付けが完全な平面状のもとに行えるとともに、広告内容の視認性にも優れて広告効果が大きく発揮される。更に、上記枠体には平面状の表面板を張設させられるから、この場合にも扉装置を意匠的に優れたものとし、広告等の各種のディスプレイを施すことができる。
【０００８】
また、上記扉装置は、扉本体の表面にコ型断面の型材を枠組みした枠体を固着し、この枠体は扉本体の蝶番の高さに応じて型材の壁面に設けた溝に沿って折ることで、干渉しない高さに容易に調節できる。更に、枠体において、上部型材及び下部型材が扉本体の表面の上下縁に横方向に配置され且つ補強材で連結された構成であるから各型材の内側のみで固定しているにも係わらず、シート材等の張設による内側への引張り力に対して補強されて高い強度が得られる。
【発明の効果】
【０００９】
以上のように、本発明の扉装置によると、既存の扉本体の表面への枠体の取付作業が容易、且つ簡便にできる。そして、上記枠体は、扉本体の表面に付設されている蝶番や施錠手段の干渉をなくして取付けることができるから、国際公開ＷＯ００／７９５０７Ａ１のシート張設装置等の取付けが可能であり、広告用シート材を平面状のもとに張設でき、広告内容の視認性に優れて大きな広告効果が発揮できる。また、シート材等の張設による内側への引張り力に対しても捲れるのを隣接する型材で防止でき、枠体の内側だけの締結部材の固定でも充分な強度が得られる。更に、上記枠体には表面板を簡単・確実に張設でき、扉装置を意匠的に優れたものとすることができる。
【００１０】
以下、図１〜図８を参照して本発明の第１の実施の形態となる扉装置１００を説明する。このものは、トラック１の荷物室３における後部開口部あるいは側壁開口部等に設けたものである。まず、図１において、扉装置１００は、トラック１の荷物室３における両側部５や後部７に設置した二枚の観音開き式の扉本体１０，１０において、その扉本体１０の表面１２の四方に四角形状の枠体２０を付設している。この枠体２０における表面の四辺には、例えば、国際公開ＷＯ００／７９５０７Ａ１のシート張設装置の取付手段Ｋ１〜Ｋ４が設置され、広告用シート材Ｓが平面状に張設される。これにより、広告内容の視認性にも優れて広告効果が大きく発揮される。また、図２に示すように、上記枠体１０の表面１２の四辺に、アルミ複合板等の表面板Ａがボルト等の締結手段により張設する場合もある。この表面板Ａに広告等の各種のディスプレイを施すことができる。
【００１１】
続いて、上記扉装置１００を、図３〜図７により具体的に説明する。まず、扉装置１００は、例えば、二枚の扉本体１０の外縁が複数の蝶番Ｃにより回動可能に枢支されている。また、二枚の扉本体１０の内縁には、図３に示すように、縦方向に支持されたドアロックバー１３を有し、また、このドアロックバー１３の上下端にドアロックバーと同心に固着されたカム１５,１７と、このカムが係脱する上下枠に取付けられたカムキーパー２１と、下端がカムの下端に延出した短管２３と、この短管に上下に回動可能に取付けられたハンドル２５と、ハンドルに対応して下枠に設けたハンドル保持具Ｈと、からなる施錠手段Ｒを具備している。
【００１２】
尚、本発明の扉装置１００における施錠手段Ｒは上記のものに限定されるものではなく、種々の構成のものが使用できる。例えば、図８に示すような施錠手段Ｒとしても良い。上記施錠手段Ｒは、公知手段として知られたもので、その具体的な構成は、操作レバー２６と、この操作レバー２６を支持するブラケット２６Ａ及び支持ピン２６Ｂと、リンク機構Ｒｏと、中央下部Ｃの左右に付設した掛止具２４，２４からなる。しかして、上記施錠手段Ｒの操作レバー２６を、上下方向と反時計方へ破線位置から実線位置に旋回操作すると、ドアロックバー１３が上下方向にスライドして、扉のロック（施錠）がアンロック（非施錠）となる。また、実線位置から破線位置に戻し旋回操作すると、アンロック（非施錠）からロック（施錠）される構成になっている。
【００１３】
上記各扉本体１０の表面の四方には、図４に示すように、コ型断面の型材３０Ａ，３０Ｂ，３０Ｃ，３０Ｄを四角形に枠組みした枠体２０を取付けている。上記枠体２０の蝶番Ｃ側の型材３０Ａは、その内周座辺３０Ａ´を扉本体１０の表面１２に締結手段Ｂ１で固着されている。尚、図５に示すように、型材３０Ａは、蝶番Ｃの部位を蝶番高さｈ１まで切断し、この壁面Ｃ´に刻設した複数種類の溝Ｍの該当高さで折って切欠させている。上記枠体２０の施錠手段Ｒ側の型材３０Ｂは、その内周側にドアロックバー１３の全長を包囲して支持する軸受部３０Ｅを形成するとともに、その内周座辺３０Ｂ´を扉表面１２に締結手段Ｂ２で固着されている。上記蝶番Ｃ側の型材３０Ａと施錠手段Ｒ側の型材３０Ｂとの上下端には、上部型材３０Ｃ，下部型材３０Ｄを上記扉本体１０の表面１２の上下縁に横方向に配置し、その各内周座辺３０Ｃ´，３０Ｄ´を扉本体１０の表面１２に締結手段Ｂ３，Ｂ４で固着されている。更に、上記型材３０Ａ，３０Ｂと上下の型材３０Ｃ，３０Ｄとの接合部Ｕは、４５°方向に切断した切断面を密着させており、上記左右の型材３０Ａ，３０Ｂと上下の型材３０Ｃ，３０Ｄとの接合部Ｕに直角に曲げた補強材Ｆ１，Ｆ２，Ｆ３，Ｆ４を介装させて連結させている。この補強材Ｆ１，Ｆ２，Ｆ３，Ｆ４の取付けは、左右の型材３０Ａ，３０Ｂと上下の型材３０Ｃ，３０Ｄに形成した係合凹部に補強材を挿入することにより行う。もっとも、必要に応じて、ボルト等の締結手段によりとりつけても良い。尚、図７に示すように、左右の型材３０Ａ，３０Ｂは、その各内周座辺３０Ａ´，３０Ｂ´を扉本体１０の表面１２に締結手段Ｂ１，Ｂ２で固着した状態で、型材３０Ａ，３０Ｂの外枠縁Ｅが扉本体１０の表面１２との間に１．５ｍｍ程度の隙間ができるように構成されている。これは、扉本体１０の表面１２にパッキン材を装着しており、これに密着して載せるようにするためである。
【００１４】
上記扉装置１００における枠体２０の表面には、図４〜図６に示すように、国際公開ＷＯ００／７９５０７Ａ１のシート張設装置の取付手段Ｋ１〜Ｋ４が設置されている。具体的には、枠体２０の表面四辺２０Ｘのうち一辺は軸受部５１を備えた固定具５０を締結部材Ｂ８で固着してなり、広告用シート材Ｓの一辺縁に付設した棒状体Ｂ７を軸受部５１で係合・保持している。また、枠体２０の表面四辺２０Ｘのうち他の三辺に対応して複数の張り調節用の引掛片ｈを持つ固定座４０がボルト等の締結手段Ｂ５により固着されている。この固定座４０の一つの引掛片ｈには、広告用シート材Ｓの四辺縁に付設した棒状体Ｂ７を軸受部４３で係合・保持した張架体４５の突部４７を係止し、シート材Ｓが四方に張った状態で平面状に張設される構成になっている。尚、このシート材の張設装置は、上記の装置に限らず、他の取付手段を使用しても良い。また、シート材の張設装置は、表面板を張設した上からシート材を張るようにしても良い。
【００１５】
以上の構成をもとにその作用を説明する。図１と図５と図６に示すように、まず、扉本体１０は、この表面１２の四方に枠体２０がその内周座辺３０Ａ´, ３０Ｂ´，３０Ｃ´，３０Ｄ´において締結手段Ｂ１，Ｂ２，Ｂ３，Ｂ４により固着されるから、扉本体１０の表面１２への枠体２０の取付作業が容易且つ簡便に行うことができる。そして、上記枠体２０は、扉本体１０の表面１２に付設された蝶番Ｃを、壁面Ｃ´に切設した溝Ｍの該当高さで折って切欠させることにより内挿させ、また、ドアロックバーの部位に軸受部を形成してここにドアロックバーを内挿させているから、枠体２０は扉本体１２に付設する蝶番Ｃを回避し、施錠手段Ｒのドアロックバー１３を軸受部３０Ｅで保持して取り付けられるから、上記枠体２０への国際公開ＷＯ００／７９５０７Ａ１のシート張設装置の取付手段Ｋ１〜Ｋ４の取付けが可能となり、広告用シート材Ｓを平面状に張設することができる。よって、広告内容の視認性が優れたものとなり、広告効果が大きく発揮される。更に、上記枠体２０には、図２や図７と図８に示すように、アルミ複合板等の表面板Ａが簡単に張設させられるから、扉装置１００を意匠的にも優れたものとし、広告等の各種のディスプレイを施すこともできる。
【００１６】
また、上記枠体２０は、扉本体１０の表面にコ型断面の型材３０Ａ，３０Ｂ，３０Ｃ，３０Ｄを枠組みし、各内周座辺だけを扉本体の表面に連結したものであるが、上部型材３０Ｃ及び下部型材３０Ｄが扉本体１０の表面の上下縁に横方向に配置され、且つその接合部Ｕにおいて補強材Ｆ１，Ｆ２，Ｆ３，Ｆ４を介装させて連結されているので、シート材等の張設による内側への引張り力が作用しても、各型材をその内側のみで固定しているにも係わらず、高い強度が得られる。
【００１７】
以上本実施の形態によると次のような効果を奏することができる。まず、枠体２０は、既存の扉本体１０の表面１２に取り付ける際に蝶番Ｃや施錠手段Ｒの干渉をなくすことができ、また、各型材の内周座辺を扉表面に締結手段で固着させるのみで取付けることができるので、取付作業が容易、且つ簡便にできる。そして、この枠体への取付手段Ｋ１〜Ｋ４の取付けにより広告用シート材Ｓを平面状に張設でき、視認性に優れた広告効果が発揮できる。更に、上記枠体に平面状の表面板Ａが簡単・確実に張設でき、扉装置を意匠的に優れたものとすることができる。
【００１８】
また、上記枠体２０は、蝶番Ｃ側の型材３０Ａと施錠手段Ｒ側の型材３０Ｂとの上下端に上部型材３０Ｃ及び下部型材３０Ｄが扉本体の表面の上下縁に横方向に配置され、且つ補強材Ｆ１，Ｆ２，Ｆ３，Ｆ４で連結された構成であるから、各型材の内側のみで固定しているにも係わらず、シート材等の張設による内側への引張り力に対して捲れるのを隣接する型材で防止でき、枠体の内側だけの締結部材の固定でも充分な強度が得られる。
【００１９】
本発明の扉装置１００は、上記第１の実施形態に限定されない。例えば、上記枠体２０をトラック１の荷物室３における後部の外枠３Ａ，３Ｂまで延長させて配置させた構成としても良い。このようにすれば、広告用シート材Ｓをより広い面積で張設することができる。
【産業上の利用可能性】
【００２０】
本発明の扉装置は、トラックの荷台室の側壁面の扉にも適用できることはもとより、他の車両の壁面やコンテナの扉や建物等の荷室の扉等にも適用することができる。
【図面の簡単な説明】
【００２１】
【図１】本発明の第１の実施の形態を示し、扉装置を備えたトラックの斜視図である。
【図２】本発明の第１の実施の形態を示し、扉装置に表面板を備えた斜視図である。
【図３】本発明の第１実施の形態を示し、扉装置の側面図と施錠の拡大斜視図である。
【図４】本発明の第１実施の形態を示し、扉装置の斜視図である。
【図５】本発明の第１実施の形態を示し、扉装置の断面図と要部拡大図である。
【図６】本発明の第１実施の形態を示し、扉の施錠手段側の縦断面図である。
【図７】本発明の第１実施の形態を示し、扉の施錠手段側の枠体と蝶番側の枠体の横断面図である。
【図８】他の扉の施錠手段の正面図と作用説明図である。
【符号の説明】
【００２２】
１          トラック
３          荷物室
７          後部
１０        扉本体
１２        表面
１３        ドアロックバー
１５，１７  カム
２０        枠体
２３        短管
２５        ハンドル
３０Ａ      蝶番側の型材
３０Ｂ      施錠手段側の型材
３０Ｃ      上部型材
３０Ｄ      下部型材
３０Ａ´    内周座辺
３０Ｂ´    内周座辺
３０Ｃ´    内周座辺
３０Ｄ´    内周座辺
３０Ｅ      軸受部
４０        固定座
４５        張架体
４７        突部
５０        固定具
５１        軸受部
１００      扉装置
Ａ          表面板
Ｂ１〜Ｂ４  締結手段
Ｂ７        棒状体
Ｂ８        締結手段
Ｃ          蝶番
Ｃ´        壁面
Ｅ          外枠縁
Ｆ１，Ｆ２，Ｆ３，Ｆ４    補強材
Ｍ          溝
Ｈ          ハンドル保持具
ｈ１        蝶番高さ
ｈ          引掛片
Ｋ１〜Ｋ４  取付手段
Ｒ          施錠手段
Ｕ          接合部
Ｓ          広告用シート材
【図１】
2005096689.tif 000003
【図２】
2005096689.tif 000004
【図３】
2005096689.tif 000005
【図４】
2005096689.tif 000006
【図５】
2005096689.tif 000007
【図６】
2005096689.tif 000008
【図７】
2005096689.tif 000009
【図８】
2005096689.tif 000010
【手続補正書】
【提出日】平成15年10月7日(2003.10.7)
【手続補正１】
【補正対象書類名】図面
【補正対象項目名】全図
【補正方法】変更
【補正の内容】
【図１】
2005096689.tif 000011
【図２】
2005096689.tif 000012
【図３】
2005096689.tif 000013
【図４】
2005096689.tif 000014
【図５】
2005096689.tif 000015
【図６】
2005096689.tif 000016
【図７】
2005096689.tif 000017
【図８】
2005096689.tif 000018